(57)【特許請求の範囲】
【請求項１】
波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービス方法であって、
ベストエフォートモードを契約したユーザに対しては、優先度の低いベストエフォート型波長パスのみを用意して、当該ベストエフォート型波長パスを割当てて使用させ、
プロテクションモード、静的レストレーションモードあるいは動的レストレーションモードを契約したユーザーが使用している波長パスのトラヒック量を監視し、トラヒック量が現在接続されている波長パスの容量を超える場合、超過分のトラヒックを賄うのに必要な数までベストエフォート型波長パスを設定し、このとき、他のユーザーがすでに使用しているベストエフォート型波長パスの接続解放が必要であれば、ベストエフォートモードを契約したユーザが使用しているベストエフォート型波長パスに対する接続解放を許容し、前記超過分のトラフィックを賄うことを特徴とする波長分割多重ネットワークの接続サービス方法。
【請求項２】
波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービス方法であって、
ベストエフォートモードを契約したユーザに対しては、優先度の低いベストエフォート型波長パスのみを用意して、当該ベストエフォート型波長パスを割当てて使用させ、
プロテクションモードを契約したユーザーが使用している波長パスに障害が発生したときには、予め設定された予備波長パスを使用させ、
静的レストレーションモードを契約したユーザーが使用している波長パスに障害が発生したときには、予め設定された共用予備波長パスを使用させ、
動的レストレーションモードを契約したユーザーが使用している波長パスに障害が発生したときには、切替可能な波長パスを探索して使用させ、
その際、前記共用予備波長パスあるいは探索された切替可能な波長パスを設定するためにベストエフォート型波長パスの接続解放を必要とする場合、ベストエフォートモードを契約したユーザが使用しているベストエフォート型波長パスに対する接続解放を許容し、障害発生の波長パスを使用していたユーザーのために使用させることを特徴とする波長分割多重ネットワークの接続サービス方法。
【請求項３】
波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービスシステムであって、
ベストエフォートモードを契約したユーザに対しては、優先度の低いベストエフォート型波長パスのみを用意して、当該ベストエフォート型波長パスを割当てて使用させるベストエフォート型波長パス割当手段と、
プロテクションモード、静的レストレーションモードあるいは動的レストレーションモードを契約したユーザーが使用している波長パスのトラヒック量を監視するトラヒック監視手段と、
前記トラヒック監視手段が監視する波長パスのトラヒック量が当該波長パスの容量を超える場合、超過分のトラヒックを賄うのに必要な数までベストエフォート型波長パスを探索するベストエフォート型波長パス探索手段と、
前記ベストエフォート型波長パス探索手段が探索したベストエフォート型波長パスがすでに他のユーザーのために使用されているベストエフォート型波長パスの接続解放を要求する場合には、それがベストエフォートモードを契約したユーザが使用しているものか否か判断し、該当する場合には当該ベストエフォート型波長パスの接続解放を許容し、前記超過分のトラフィックを賄うために接続を切替える波長パス割当仲介手段とを備えて成る波長分割多重ネットワークの接続サービスシステム。
【請求項４】
波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービスシステムであって、
ベストエフォートモードを契約したユーザに対しては、優先度の低いベストエフォート型波長パスのみを用意して、当該ベストエフォート型波長パスを割当てて使用させるベストエフォート型波長パス割当手段と、
各ユーザーの使用している波長パスの障害状態を監視する障害監視手段と、
前記障害監視手段がプロテクションモードを契約したユーザーが使用している波長パスに障害が発生したことを検出したときには、予め設定された予備波長パスに切り替え、静的レストレーションモードを契約したユーザーが使用している波長パスに障害が発生したことを検出したときには、予め設定された共用予備波長パスに切り替え、動的レストレーションモードを契約したユーザーが使用している波長パスに障害が発生したことを検出したときには、切替可能な波長パスを探索し、前記共用予備波長パスあるいは探索された切替可能な波長パスを設定するに際し、ベストエフォート型波長パスの接続解放を必要とする場合には、ベストエフォートモードを契約したユーザが使用しているベストエフォート型波長パスに対する接続解放を許容し、障害発生の波長パスを使用していたユーザーのために使用させる波長パス割当仲介手段とを備えて成る波長分割多重ネットワークの接続サービスシステム。
【発明の詳細な説明】
【０００１】
【発明の属する技術分野】
本発明は、波長分割多重ネットワークの接続サービス方法及びシステムに関する。
【０００２】
【従来の技術】
光波長分割多重ネットワークでは一般に、ユーザー毎に使用する波長パスを割当て、障害が発生した場合には予備の波長パスに切替えて使用させる接続サービス方法がとられている。この場合、予備の波長パスとしては、使用契約時にユーザーに接続サービスクラスを選択させ、高い接続サービスクラスでは予備の波長パスも契約したユーザー専用の波長パスとして割当てたり、それよりも低い接続サービスクラスでは、通常使用する専用の波長パスと共に予備の波長パスとして幾人かのユーザーに共用の波長パスを割当てることがなされている。
【０００３】
【発明が解決しようとする課題】
ところで近年、多重できる波長パス数が増加してきており、また大容量データの伝送のために空き波長パスがあれば必要なときにだけそれを利用したいと望むユーザーも増加している。
【０００４】
しかしながら、従来の波長分割多重ネットワークの接続サービス方法の場合、波長パスの割当てが固定的なものであったため、ユーザー契約された波長パスや予備の波長パスが空いている状態でも他のユーザーがそれらの波長パスを空き時間だけ使用するという効率的な利用ができない問題点があった。
【０００５】
本発明はこのような従来の問題点に鑑みてなされたものであって、より優先度の高いユーザーの波長パスのトラヒック量が増加した場合、あるいはそれに障害が発生した場合には、優先度の低いベストエフォート型波長パスのユーザー接続を強制的に解放させて優先度の高いユーザーの波長パスを設定するが、このベストエフォート型波長パスが空いている時間には優先度が低いため低額の料金で利用させるようにすることにより、波長分割多重ネットワークの効率的な運用が図れる波長分割多重ネットワークの接続サービス方法及びシステムを提供することを目的とする。
【０００６】
【課題を解決するための手段】
請求項１の発明は、波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービス方法であって、ベストエフォートモードを契約したユーザに対しては、優先度の低いベストエフォート型波長パスのみを用意して、当該ベストエフォート型波長パスを割当てて使用させ、プロテクションモード、静的レストレーションモードあるいは動的レストレーションモードを契約したユーザーが使用している波長パスのトラヒック量を監視し、トラヒック量が現在接続されている波長パスの容量を超える場合、超過分のトラヒックを賄うのに必要な数までベストエフォート型波長パスを設定し、このとき、他のユーザーがすでに使用しているベストエフォート型波長パスの接続解放が必要であれば、ベストエフォートモードを契約したユーザが使用しているベストエフォート型波長パスに対する接続解放を許容し、前記超過分のトラフィックを賄うことを特徴とするものである。
【０００７】
請求項１の発明の波長分割多重ネットワークの接続サービス方法では、ベストエフォート型波長パスが空いている時間にはベストエフォートモードを契約したユーザがそれを低額の料金で利用可能とし、静的レストレーションモードや動的レストレーションモードを契約したユーザーの波長パスのトラヒック量が増加した場合には、ベストエフォートモードを契約したユーザが使用しているベストエフォート型波長パスをプロテクションや静的レストレーションモードや動的レストレーションモードを契約したユーザーの波長パスに使用させることにより、波長分割多重ネットワークの効率的な運用を図る。
【０００８】
請求項２の発明は、波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービス方法であって、ベストエフォートモードを契約したユーザに対しては、優先度の低いベストエフォート型波長パスのみを用意して、当該ベストエフォート型波長パスを割当てて使用させ、プロテクションモードを契約したユーザーが使用している波長パスに障害が発生したときには、予め設定された予備波長パスを使用させ、静的レストレーションモードを契約したユーザーが使用している波長パスに障害が発生したときには、予め設定された共用予備波長パスを使用させ、動的レストレーションモードを契約したユーザーが使用している波長パスに障害が発生したときには、切替可能な波長パスを探索して使用させ、その際、前記共用予備波長パスあるいは探索された切替可能な波長パスを設定するためにベストエフォート型波長パスの接続解放を必要とする場合、ベストエフォートモードを契約したユーザが使用しているベストエフォート型波長パスに対する接続解放を許容し、障害発生の波長パスを使用していたユーザーのために使用させることを特徴とするものである。
【０００９】
請求項２の発明の波長分割多重ネットワークの接続サービス方法では、ベストエフォート型波長パスが空いている時間にはベストエフォートモードを契約したユーザがそれを低額の料金で利用可能とし、静的レストレーションモードや動的レストレーションモードを契約したユーザーの波長パスに障害が発生した場合には、ベストエフォートモードを契約したユーザが使用しているベストエフォート型波長パスを静的レストレーションモードや動的レストレーションモードを契約したユーザーの波長パスに使用させることにより、波長分割多重ネットワークの効率的な運用を図る。
【００１０】
請求項３の発明は、波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービスシステムであって、ベストエフォートモードを契約したユーザに対しては、優先度の低いベストエフォート型波長パスのみを用意して、当該ベストエフォート型波長パスを割当てて使用させるベストエフォート型波長パス割当手段と、プロテクションモード、静的レストレーションモードあるいは動的レストレーションモードを契約したユーザーが使用している波長パスのトラヒック量を監視するトラヒック監視手段と、前記トラヒック監視手段が監視する波長パスのトラヒック量が当該波長パスの容量を超える場合、超過分のトラヒックを賄うのに必要な数までベストエフォート型波長パスを探索するベストエフォート型波長パス探索手段と、前記ベストエフォート型波長パス探索手段が探索したベストエフォート型波長パスがすでに他のユーザーのために使用されているベストエフォート型波長パスの接続解放を要求する場合には、それがベストエフォートモードを契約したユーザが使用しているものか否か判断し、該当する場合には当該ベストエフォート型波長パスの接続解放を許容し、前記超過分のトラフィックを賄うために接続を切替える波長パス割当仲介手段とを備えたものである。
【００１１】
請求項３の発明の波長分割多重ネットワークの接続サービスシステムでは、トラヒック監視手段によってプロテクションモード、静的レストレーションモードあるいは動的レストレーションモードを契約したユーザーが使用している波長パスのトラヒック量を監視し、波長パス割当仲介手段により、トラヒック量が現在接続されている波長パスの容量を超える場合、超過分のトラヒックを賄うのに必要な数までベストエフォート型波長パスを設定し、このときに他のユーザーのための接続されているベストエフォート型波長パスの接続解放が必要であれば、ベストエフォートモードを契約したユーザーにより使用されているベストエフォート型波長パスに対する接続解放を許容し、プロテクションモード、静的レストレーションモードあるいは動的レストレーションモードを契約したユーザーに使用させる。
【００１２】
こうして、プロテクションモード、静的レストレーションモードあるいは動的レストレーションモードを契約したユーザーの波長パスのトラヒック量が増加した場合には、ベストエフォートモードを契約したユーザが使用しているベストエフォート型波長パスのユーザー接続を強制的に解放させてプロテクションモード、静的レストレーションモードあるいは動的レストレーションモードを契約したユーザーの波長パスを設定するが、このベストエフォート型波長パスが空いている時間にはベストエフォートモードを契約したユーザに低額の料金で利用させるようにすることにより、波長分割多重ネットワークの効率的な運用を図る。
【００１３】
請求項４の発明は、波長分割多重ネットワークにおいて複数のユーザーそれぞれに特定の波長パスを割当てると共にユーザー契約がプロテクションモード、静的レストレーションモードあるいは動的レストレーションモードであるかベストエフォートモードであるかに基づいて各波長パスに対する優先度を指定する波長分割多重ネットワークの接続サービスシステムであって、ベストエフォートモードを契約したユーザに対しては、優先度の低いベストエフォート型波長パスのみを用意して、当該ベストエフォート型波長パスを割当てて使用させるベストエフォート型波長パス割当手段と、各ユーザーの使用している波長パスの障害状態を監視する障害監視手段と、前記障害監視手段がプロテクションモードを契約したユーザーが使用している波長パスに障害が発生したことを検出したときには、予め設定された予備波長パスに切り替え、静的レストレーションモードを契約したユーザーが使用している波長パスに障害が発生したことを検出したときには、予め設定された共用予備波長パスに切り替え、動的レストレーションモードを契約したユーザーが使用している波長パスに障害が発生したことを検出したときには、切替可能な波長パスを探索し、前記共用予備波長パスあるいは探索された切替可能な波長パスを設定するに際し、ベストエフォート型波長パスの接続解放を必要とする場合には、ベストエフォートモードを契約したユーザが使用しているベストエフォート型波長パスに対する接続解放を許容し、障害発生の波長パスを使用していたユーザーのために使用させる波長パス割当仲介手段とを備えたものである。
【００１４】
請求項４の発明の波長分割多重ネットワークの接続サービスシステムでは、静的レストレーションモードあるいは動的レストレーションモードの波長パスに障害が発生したとき、予め設定された共用予備波長パスあるいは代替波長パス探索手段によって探索された切替可能な波長パスに切り替える。この際、ベストエフォート型波長パスの接続解放を必要とする場合、波長パス割当仲介手段により、ベストエフォートモードを契約したユーザが使用しているベストエフォート型波長パスに対する接続解放を許容し、障害発生の波長パスを使用していたユーザーのために使用させる。
【００１５】
こうして、静的レストレーションモードあるいは動的レストレーションモードを契約したユーザーの波長パスに障害が発生した場合には、ベストエフォートモードを契約したユーザが使用しているベストエフォート型波長パスのユーザー接続を強制的に解放させて静的レストレーションモードあるいは動的レストレーションモードを契約したユーザーの波長パスを設定するが、このベストエフォート型波長パスが空いている時間にはベストエフォートモードを契約したユーザに低額の料金で利用させるようにすることにより、波長分割多重ネットワークの効率的な運用を図る。
【００１６】
【発明の実施の形態】
以下、本発明の実施の形態を図に基づいて詳説する。図１は本発明の第１の実施の形態の光波長分割多重ネットワークのシステム構成を示している。図１では４ユーザーそれぞれのサイトにサービスアクセス装置１Ａ〜１Ｄが設置されており、各ユーザーはこのサービスアクセス装置１Ａ〜１Ｄを通じて、送信したいデータを光信号に変調し、対向サービスアクセス装置を指定して波長分割多重ネットワーク４上に送信する。
【００１７】
波長分割多重ネットワーク４上には、多数の光ファイバケーブル４１と、光ファイバ間で光信号を中継すると共に必要に応じて増幅する光クロスコネクト装置及びその制御装置４２が張り巡らされている。そして、この波長分割多重ネットワーク４と各サービスアクセス装置１Ａ〜１Ｄとの間にも光クロスコネクト装置とその制御装置３Ａ〜３Ｄが設置されており、さらに各サービスアクセス装置１Ａ〜１Ｄと光クロスコネクト装置とその制御装置３Ａ〜３Ｄとの間のパスの監視を行うためにサービス処理装置２Ａ〜２Ｄがそれぞれ設置されている。
【００１８】
各サービス処理装置２Ａ〜２Ｄは、サービスアクセス装置１Ａ〜１Ｄ各々と光クロスコネクト装置とその制御装置３Ａ〜３Ｄ各々との間のトラヒック量と信号状態を監視し、また光クロスコネクト装置とその制御装置３Ａ〜３Ｄに対し波長パスの選択切替指令を与える働きをするものであり、図２はその機能構成を示している。
【００１９】
またサービス処理装置２Ａ〜２Ｄ各々は、サービスアクセス装置１Ａ〜１Ｄ各々と光クロスコネクト装置とその制御装置３Ａ〜３Ｄ各々との間を接続している光ファイバ上に設置されている障害監視装置５とトラヒック量監視装置６の出力信号を入力し、それぞれ障害の有無を検出する障害検出部２１とトラヒック量の変化を検出するトラヒック量変化検出部２２、サービスアクセス装置１Ａ〜１Ｄ各々に割当てられている波長パスを管理する波長パス管理部２３、後述する手順に従い波長パスを探索する波長パス探索部２４、波長パス探索部２４の波長パス探索結果に基づき新たな波長パスを設定し、それまで使用していた波長パスを解放する波長パス設定・解放部２５、波長パスの切替制御を行う予備波長パス切替制御部２６、そしてサービス運用者との間でネットワーク接続サービスの利用許諾、使用波長パスの設定、障害通知等の通信を行うサービス運用インタフェース２７から構成されている。
【００２０】
障害検出部２１は、光ファイバに障害が発生したときに障害監視装置５から障害検出信号を入力し、接続サービスモード（後述する）に応じて障害通知信号を動的レストレーションモードであれば波長パス探索部２４に、静的レストレーションモードであれば波長パス設定・解放部２５に、そしてプロテクションモードであれば直接に予備波長パス切替制御部２６に障害通知信号を出力し、同時にサービス運用インタフェース２７にも出力する。また障害検出部２１は、通信相手となっている対向サービス処理装置２Ａ〜２Ｄとの間で障害検出情報のやりとりを行う。
【００２１】
トラヒック量変化検出部２２は、トラヒック量監視装置６のトラヒック量検出信号を入力し、トラヒック量変化を求め、トラヒック量が増加した場合にはトラヒック増加信号を波長パス探索部２４に出力し、トラヒック量が減少した場合にはトラヒック量減少信号を波長パス設定・解放部２５に出力する。
【００２２】
波長パス管理部２３は、ネットワーク上の波長パス情報を取得し、サービスアクセス装置２Ａ〜２Ｄの使用する波長パスを管理する。
【００２３】
波長パス探索部２４は、障害検出部２１から障害検出通知を受け、あるいはトラヒック量変化検出部２２からトラヒック量増加信号を受けたときに、ネットワーク４上で代替もしくは追加使用できる予備波長パスを探索し、その探索結果を波長パス設定・解放部２５に出力する。
【００２４】
予備波長パス切替制御部２６は、波長パス設定・解放部２５からの切替波長パス情報に基づき、もしくはプロテクションモードにおいてすでに接続されている予備の波長パスに切替える制御指令を光クロスコネクト装置とその制御装置３Ａ〜３Ｄのうち自装置に接続されているものに対して出力する。
【００２５】
サービス運用インタフェース２７は、サービス運用者との間で接続サービスの開始・終了を通信し、また接続サービス拒否を通信し、自装置の使用する波長パスの設定・解放を通信する。
【００２６】
次に、本発明の第１の実施の形態の波長分割多重ネットワークの接続サービスシステムによる接続サービス方法について、図３〜図６のフローチャートを参照して説明する。
【００２７】
まず、当該波長分割多重ネットワーク４の接続サービス運用者とユーザーとの間で契約する接続サービスクラスの種類について説明する。接続サービス運用者が提供する接続サービスクラスには、（１）プロテクションモード、（２）静的レストレーションモード、（３）動的レストレーションモード、（４）ベストエフォートモードが用意されている。
【００２８】
（１）のプロテクションモードとは、図１に示すシステムにおいて、例えばサービスアクセス装置１Ａから対向サービスアクセス装置１Ｃに対してデータの相互伝送を行う場合、この接続サービスクラスの契約をしていれば、保証型波長パスＰ１と共に予備波長パスＰ２があらかじめ設定される。そして通常は保証型波長パスＰ１を用いて相互にデータ伝送が行われるが、この波長パスＰ１に障害が発生した場合には、光クロスコネクト装置とその制御装置３Ａと３Ｃにおいて自動的に予備波長パスＰ２に切り替えるという優先度の高い接続サービスが提供される。
【００２９】
（２）の静的レストレーションモードとは、例えばサービスアクセス装置１Ａから対向サービスアクセス装置１Ｄに対してデータの相互伝送を行う場合、この接続サービスクラスの契約をしていれば、保証型波長パスＰ３と共に、共用の予備波長パスＰ４があらかじめ予約される。そして通常は、保証型波長パスＰ３を用いて相互にデータ伝送が行われるが、この保証型波長パスＰ３に障害が発生した場合、共用の予備波長パスＰ４を設定して、この予備波長パスＰ４に切替えてその後のデータ伝送を行うという比較的優先度の高い接続サービスクラスである。
【００３０】
（３）の動的レストレーションモードとは、例えばサービスアクセス装置１Ａから対向サービスアクセス装置１Ｃに対してデータの相互伝送を行う場合、この接続サービスクラスの契約をしていれば、保証型波長パスＰ１と共に、波長パスが事前に決定されていないが、障害発生時にはもう１波長パスを探索し、探索が成功すればその波長パスを予備波長パスとして設定し、データ伝送を継続するという比較的優先度の高い接続サービスクラスである。そしてこの場合、予備波長パスを探索するときには、上述したプロテクションモードの予備波長パスや静的レストレーションモードの共用の予備波長パスは探索することができず、それらの設定がされていない空き波長パスあるいは後述するベストエフォート型波長パスを探索し、探索に成功すればその波長パスを予備波長パスとして設定することになり、いずれの波長パスも探索することができなければ、空き波長パスがない旨の通知がなされることになる。
【００３１】
（４）のベストエフォートモードとは、ある波長パスを他の優先度が高いユーザーのための予備波長パスとして使用されることがあるが、当該波長パスが空いているときに比較的低料金で使用できるようにする接続サービスクラスである。例えば、ユーザーがサービスアクセス装置１Ｂから対向サービスアクセス装置１Ｄに対してこのベストエフォートモードの契約を行い、データ伝送を要求した場合、空いている波長パスを探索し、波長パスＰ５が探索されたとすると、この波長パスＰ５をベストエフォート型波長パスとして設定し、データ伝送を許可する。
【００３２】
しかしながら、このベストエフォート型波長パスＰ５をユーザーが使用している間に、優先度のより高い接続サービスクラス（つまり、動的レストレーションモード）の契約ユーザーに割当てられている波長パスに障害が発生し、予備波長パスとして当該波長パスＰ５あるいはその一部区間が探索された場合、当該ベストエフォートモードの契約ユーザーに対するこの波長パスＰ５の接続が強制的に解放され、優先度の高い他のユーザーの予備波長パスとして設定され、接続されてしまうことになる。
【００３３】
このように、ユーザー契約がいずれの接続サービスクラスのものであるかにより、図３〜図６に示すフローチャートのように使用している波長パスに障害が発生した場合、契約している接続サービスクラスに応じた予備波長パスの探索が行われ、切替えが行われる。
【００３４】
このデータ伝送の制御及び波長パスの切替制御は各サービスアクセス装置１Ａ〜１Ｄに付属するサービス処理装置２Ａ〜２Ｄによって実行される。以下、その制御について説明する。なお、説明を分かりやすくするために、以下、サービスアクセス装置１Ａに対するサービス処理装置２Ａの動作として説明する。
【００３５】
サービスアクセス装置１Ａのユーザーが当該システムの運用者と契約を結ぶことによって本処理はスタートする（ステップＳ０５）。そしてユーザーに対して、契約された接続サービスクラスにおいて指定された伝送速度に対応する数の保証型波長パスの探索を開始する（ステップＳ１０）。
【００３６】
ここで、契約された接続サービスクラスがプロテクションモードであれば、切替用予備波長パスの探索も実行される（ステップＳ１５，Ｓ２０）。また、接続サービスクラスが静的レストレーションモードであれば、共用予備波長パスが探索される（ステップＳ２５，Ｓ３０）。なお、動的レストレーションモードの場合には、予備波長パスの使用が必要になった後のタイミングで波長パスの探索が実行され、またベストエフォートモードの場合には、予備波長パスの探索は行われない。
【００３７】
ここで、保証型波長パスの探索が成功せず、またプロテクションモードにおける切替用予備波長パスや静的レストレーションモードにおける共用予備波長パスの探索が成功しなかった場合には、接続サービス不可の通知が行われる（ステップＳ３５，Ｓ５５）。
【００３８】
ステップＳ３５で波長パスの探索が成功した場合、探索された波長パスを設定するために、ベストエフォート型波長パスの解放が必要である場合には（ステップＳ４０でＹＥＳに分岐）、該当するベストエフォート型波長パスを解放し、そのユーザーに対して波長パス解放の通知を行う（ステップＳ４５，Ｓ５０）。
【００３９】
一方、ステップＳ４０でベストエフォート型波長パスを解放する必要がないと判断した場合、以上の手続きで探索した保証型波長パスの設定を行い、切替用予備波長パスの設定又は共用予備波長パスの予約を行う（ステップＳ６０，Ｓ６５）。
【００４０】
以上のようにして保証型波長パスを設定し、切替用予備波長パスの設定も行った後、ユーザーは保証型波長パスを用いてデータ伝送を行う。そしてデータ伝送中、サービス処理装置２Ａが使用している波長パスのトラヒック量を監視し、障害の発生の有無も監視する。つまり、データ伝送が正常に行われている間はイベント待ちの状態になる（ステップＳ７０）。
【００４１】
ここで、サービス処理装置２Ａの障害監視装置５が使用している波長パスの障害を検出した場合、図５のフローチャートに示す処理に移行する（ステップＳ１００）。他方、トラヒック量監視装置６は使用している波長パスのトラヒック量を監視していて、波長パスの最大伝送速度を超えるトラヒック量を検出したときには、図６のフローチャートに示す処理に移行する（ステップＳ２００）。さらに、サービスアクセス装置１Ａから接続サービス終了要求があれば、すべての波長パスを解放する（ステップＳ３００，Ｓ３０５）。
【００４２】
ステップＳ１００において波長パスの障害を検出した場合、それが保証型波長パスの障害であるかどうかを判断し（ステップＳ１０５）、保証型波長パスの障害である場合には、サービスアクセス装置１Ａのユーザーに対する接続サービスクラスがプロテクションモードであるかどうかを判断する（ステップＳ１１０）。ここでプロテクションモードであったならば、ただちに予め設定されている予備波長パスに切替えて、データ伝送を継続する（ステップＳ１５５）。
【００４３】
他方、ステップＳ１１０において、プロテクションモードでない場合にはＮＯに分岐し、静的レストレーションモードであるかどうかを判断する（ステップＳ１１５）。ここで接続サービスクラスが静的レストレーションモードである場合、すでに予約されている共用予備波長パスに設定して切り替えることになる（ステップＳ１３５，Ｓ１６５）。
【００４４】
ステップＳ１１５において、静的レストレーションモードでない場合、動的レストレーションモードであるかどうか判断する（ステップＳ１２０）。ここで、動的レストレーションモードでもない場合、接続サービスクラスがベストエフォートモードであるということになり、ベストエフォートモードの波長パスの障害に対しては予備波長パスは設定されていないので、ＮＯに分岐して保証型波長パス障害の通知をユーザーに行う（ステップＳ１６０）。
【００４５】
ステップＳ１２０において動的レストレーションモードである場合、予備波長パスの探索を開始し（ステップＳ１２５）、探索が成功しなければ障害通知をユーザーに行う（ステップＳ１３０，Ｓ１６０）。
【００４６】
静的レストレーションモードにおいて予約されていた共用予備波長パスを設定するために、あるいはステップＳ１２５の予備波長パスの探索において探索に成功し、探索した予備波長パスを設定するために、ベストエフォート型波長パスの解放が必要であるかどうかを判断する（ステップＳ１３５）。そして予備波長パスを設定するために、ベストエフォート型波長パスの解放が必要である場合には、ＹＥＳに分岐して該当するベストエフォート型波長パスを強制的に解放させ、そのユーザーには波長パスの解放を通知し、新たに予備波長パスを設定して、静的レストレーションモードあるいは動的レストレーションモードの契約ユーザーに使用させる（ステップＳ１４０，Ｓ１４５）。
【００４７】
予備波長パスを設定するためにベストエフォート型波長パスの解放が必要でない場合、ステップＳ１３５でＮＯに分岐し、共用予備波長パスあるいは探索された予備波長パスを設定し、保証型波長パスから切替えて使用させる（ステップＳ１６５）。
【００４８】
図４のフローチャートにおいて、トラヒック量の変化を検出した場合（ステップＳ２００）、図６のフローチャートに移行し、トラヒック量が増加したかどうかを判断する（ステップＳ２０５）。そしてトラヒック量が増加したのであれば、増加したトラヒック量が使用できるベストエフォート型波長パスの最大数では賄えない場合、ステップＳ２１０でＮＯに分岐し、イベント待ちに戻る（ステップＳ７０）。しかし、増加したトラヒック量を使用できると判断されたベストエフォート型波長パスの最大数で賄える場合、ベストエフォート型波長パスを探索する（ステップＳ２１５）。
【００４９】
このベストエフォート型波長パスの探索が不成功に終われば、ステップＳ２２０でＮＯに分岐してイベント待ちに戻る（ステップＳ７０）。しかし、ベストエフォート型波長パスの探索が成功すれば、探索したベストエフォート型波長パスを設定するために、優先度の低い接続サービスクラスの他のユーザーが使用しているベストエフォート型波長パスの解放が必要であるかどうかを判断する（ステップＳ２２０，Ｓ２２５）。そして他のユーザーが使用しているベストエフォート型波長パスの解放が必要である場合にはそのベストエフォート型波長パスを解放させて該当するユーザーに波長パスの解放を通知する（ステップＳ２３０，Ｓ２３５）。
【００５０】
ステップＳ２２５で優先度の低いベストエフォート型波長パスの解放が必要でないと判断した場合には、探索したベストエフォート型波長パスの設定を行い、サービスアクセス装置１Ａのユーザーに通知する（ステップＳ２５５，Ｓ２６０）。
【００５１】
ステップＳ２０５でトラヒック量は減少したと判断した場合、使用していた波長パスにベストエフォート型波長パスが含まれているかどうかを判断し、含まれていないならば、単にイベント待ちの状態に戻る（ステップＳ２４０，Ｓ７０）。しかし、使用していた波長パスにベストエフォート型波長パスが含まれている場合には、そのベストエフォート型波長パスを解放し、解放通知をユーザーに対して行う（ステップＳ２４０，Ｓ２４５，Ｓ２５０）。
【００５２】
なお、上記の処理はサービスアクセス装置１Ａに対するサービス処理装置２Ａばかりではなく、当該波長分割多重ネットワーク４に接続されている他のサービスアクセス装置１Ｂ〜１Ｄ各々のサービス処理装置２Ｂ〜２Ｄについても同様に実行する。
【００５３】
このようにして、本実施の形態の波長分割多重ネットワークの接続サービスシステムによる接続サービス方法によれば、エンドエンド間を接続する波長パスを用いて波長パスの各種リカバリモードに加えて伝送するトラヒックの特性に応じた多様な優先度クラスの波長分割多重ネットワークの接続サービスが提供できる。
【００５４】
なお、上記の実施の形態のシステムではユーザーのサービスアクセス装置１Ａ〜１Ｄの各々に対してサービス処理装置２Ａ〜２Ｄ各々を設け、個別に波長パスの監視、接続の切替制御を行う構成にしたが、これに限らず、波長分割多重ネットワーク４の規模により、１つのサイトで全ユーザーのサービスアクセス装置１Ａ〜１Ｄを集中監視し、上述した波長パスの切替制御を行う構成にすることもできる。
【００５５】
【発明の効果】
請求項１の発明の波長分割多重ネットワークの接続サービス方法によれば、ベストエフォート型波長パスが空いている時間にはベストエフォートモードを契約したユーザがそれを低額の料金で利用でき、静的レストレーションモードや動的レストレーションモードを契約したユーザーの波長パスのトラヒック量が増加した場合には、ベストエフォートモードを契約したユーザが使用しているベストエフォート型波長パスをプロテクションや静的レストレーションモードや動的レストレーションモードを契約したユーザーの波長パスに使用させることができるので、波長分割多重ネットワークの効率的な運用を図ることができる。
【００５６】
請求項２の発明の波長分割多重ネットワークの接続サービス方法によれば、ベストエフォート型波長パスが空いている時間にはベストエフォートモードを契約したユーザがそれを低額の料金で利用でき、静的レストレーションモードや動的レストレーションモードを契約したユーザーの波長パスに障害が発生した場合には、ベストエフォートモードを契約したユーザが使用しているベストエフォート型波長パスを静的レストレーションモードや動的レストレーションモードを契約したユーザーの波長パスに使用させることができるので、波長パスの接続の信頼度を保証し、かつ波長分割多重ネットワークの効率的な運用を図ることができる。
【００５７】
請求項３の発明の波長分割多重ネットワークの接続サービスシステムによれば、請求項１の発明の接続サービス方法を実現することができ、波長分割多重ネットワークの効率的な運用が図れる。
【００５８】
請求項４の発明の波長分割多重ネットワークの接続サービスシステムによれば、請求項２の発明の接続サービス方法を実現することができ、波長パスの接続の信頼度を保証し、かつ波長分割多重ネットワークの効率的な運用が図れる。
【図面の簡単な説明】
【図１】本発明の一実施の形態の波長分割多重ネットワークの接続サービスシステムの構成を示すブロック図。
【図２】上記の実施の形態におけるサービス処理装置の機能的な構成を示すブロック図。
【図３】上記の実施の形態による接続サービス方法を示すフローチャートの第１部。
【図４】上記の実施の形態による接続サービス方法を示すフローチャートの第２部。
【図５】上記の実施の形態による接続サービス方法を示すフローチャートの第３部。
【図６】上記の実施の形態による接続サービス方法を示すフローチャートの第４部。
【符号の説明】
１Ａ〜１Ｄ  サービスアクセス装置
２Ａ〜２Ｄ  サービス処理装置
３Ａ〜３Ｄ  光クロスコネクト装置とその制御装置
４  ネットワーク
５  障害監視装置
６  トラヒック量監視装置
２１  障害検出部
２２  トラヒック量変化検出部
２３  波長パス管理部
２４  波長探索部
２５  波長パス設定・解放部
２６  予備波長パス切替制御部
２７  サービス運用インタフェース
４１  光ファイバケーブル
４２  光クロスコネクト装置とその制御装置
【図１】
0004042888.tif 000002
【図２】
0004042888.tif 000003
【図３】
0004042888.tif 000004
【図４】
0004042888.tif 000005
【図５】
0004042888.tif 000006
【図６】
0004042888.tif 000007